(57)【要約】【課題】            従来の電子錠の取り付け構造によると、電子錠本体が露出した状態となっているため、鍵穴の存在はなくすことができても、すっきりとしたシンプルな外観とはならず、その外的美感を損なうことがあるという点であり、また、電子錠本体をドア等に内蔵してしまうと、単にバッテリー交換を行なうについても大がかりな専門的作業が要求されてしまうという点である。【解決手段】        ドアもしくはドアフレームのいずれか一方に中空部を形成し、その中空部に内蔵バッテリーで動作する電子錠を収納固定するとともに、その電子錠と対応するドアもしくはドアフレームに前記電子錠から出入される閂部材の受穴を有する受部を備えていることとし、前記した電子錠が収納固定されたドアもしくはドアフレームには、別途の中空部が形成され、その別途の中空部には、前記した電子錠と結線されたバッテリーホルダーが電子錠本体に設けられたバッテリーの収容スペースとは別異に収納されることとする。【選択図】          図１
2006045982.tif 000002
【特許請求の範囲】
【請求項１】
ドアもしくはドアフレームのいずれか一方に中空部を形成し、その中空部に内蔵バッテリーで動作する電子錠を収納固定するとともに、その電子錠と対応するドアもしくはドアフレームに前記電子錠から出入される閂部材の受穴を有する受部を備えていることを特徴とする電子錠の取り付け構造。
【請求項２】
前記電子錠の制御部からはケーブルが延設され、そのケーブルの先端には電力補充端子及び受光素子を備え、そのケーブルの先端はドアとドアフレームの隙間を通して屋外側に固定されていることを特徴とする請求項１に記載の電子錠の取り付け構造。
【請求項３】
前記電子錠の制御部からは電気的に接続された無線電波の受信用アンテナが延設されていることを特徴とする請求項１または請求項２に記載の電子錠の取り付け構造。
【請求項４】
前記した受信用アンテナはドア又はドアフレームの内部、あるいはドア開閉作業用のグリップバーもしくはその取り付けプレート内に通されていることを特徴とする請求項３に記載の電子錠の取り付け構造。
【請求項５】
前記した電子錠が収納固定されたドアもしくはドアフレームには、別途の中空部が形成され、その別途の中空部には、前記した電子錠と結線されたバッテリーホルダーが電子錠本体に設けられたバッテリーの収容スペースとは別異に収納されることを特徴とする請求項１、請求項２、請求項３または請求項４に記載の電子錠の取り付け構造。
【請求項６】
前記したバッテリーホルダーにセットされるバッテリーは乾電池もしくは外部電源により充電可能な充電電池としたことを特徴とする請求項５に記載の電子錠の取り付け構造。
【請求項７】
前記した電子錠と結線されたバッテリーホルダーはドアの屋内側に外付けのボックスとし、カバーを備えて設けられていることを特徴とする請求項１、請求項２、請求項３または請求項４に記載の電子錠の取り付け構造。
【請求項８】
前記した制御部には有線室内電話機と接続された中継器からの電波開錠暗号信号赤外線、開錠暗号信号発信信号を電波アンテナ及び受ける受光素子が電気的に接続されて備えられていることを特徴とする請求項１、請求項２、請求項３、請求項４、請求項５、請求項６または請求項７に記載の電子錠の取り付け構造。
【発明の詳細な説明】
【技術分野】
【０００１】
本発明は電子錠、特に建造物や屋内の各室の出入口に設けられるドアに付設される電子錠、それも光線や電波等の無線対応方式とした電子錠の取り付け構造に関する。
【背景技術】
【０００２】
従来より、機械的構造の錠鍵装置は、鍵を挿し入れるための鍵穴の存在が不可欠なものとなり、ピッキング犯罪の被害を受け易いものとなっている。そこで近時は鍵穴の存在を不要とした電子錠が使用されることが多くなっているもので、この電子錠にも電波や光線等の無線を媒体としたものや、専用のテンキーを備え、暗唱番号等を入力するもの、あるいは指紋や掌絞等の身体的特徴を媒体とするものが存在している。
【０００３】
電子錠は上記した種々のタイプのうちでも非接触で操作できることから無線を媒体とするものが主流とされている。また、電子錠は閂部材（デッドボルト）を出入作動させるため、駆動電力を必要とするが、この電源は停電のないことや配線の煩わしさ等からバッテリーが使用されることが通例である。
【０００４】
このバッテリーを使用することで、バッテリーが消耗した時にはその交換作業が必要となり、このバッテリー交換作業やメンテナンスのため、電子錠はドアの屋内側に装置を露出した状態で取り付けられることとなるのが一般的で、そのため、ドア全体としての外観が損なわれてしまうこともあった。
【特許文献１】特願２００４−１０４４６号出願書類
【発明の開示】
【発明が解決しようとする課題】
【０００５】
本発明が解決しようとする問題点は、従来の電子錠の取り付け構造によると、電子錠本体が露出した状態となっているため、鍵穴の存在はなくすことができても、すっきりとしたシンプルな外観とはならず、その外的美感を損なうことがあるという点であり、また、電子錠本体をドア等に内蔵してしまうと、単にバッテリー交換を行なうについても大がかりな専門的作業が要求されてしまうという点である。
【課題を解決するための手段】
【０００６】
上記した問題点を解決するために、本発明に係る電子錠の取り付け構造は、ドアもしくはドアフレームのいずれか一方に中空部を形成し、その中空部に内蔵バッテリーで動作する電子錠を収納固定するとともに、その電子錠と対応するドアもしくはドアフレームに前記電子錠から出入される閂部材の受穴を有する受部を備えていることを特徴とし、前記電子錠の制御部からはケーブルが延設され、そのケーブルの先端には電力補充端子及び受光素子を備え、そのケーブルの先端はドアとドアフレームの隙間を通して屋外側に固定されていることを特徴とし、前記電子錠の制御部からは電気的に接続された無線電波の受信用アンテナが延設されていることを特徴とし、前記した受信用アンテナはドア又はドアフレームの内部、あるいはドア開閉作業用のグリップバーもしくはその取り付けプレート内に通されていることを特徴としている。
【０００７】
また、本発明に係る電子錠の取り付け構造は前記した電子錠が収納固定されたドアもしくはドアフレームには、別途の中空部が形成され、その別途の中空部には、前記した電子錠と結線されたバッテリーホルダーが電子錠本体に設けられたバッテリーの収容スペースとは別異に収納されることを特徴とし、前記したバッテリーホルダーにセットされるバッテリーは乾電池もしくは外部電源により充電可能な充電電池としたことを特徴とし、前記した電子錠と結線されたバッテリーホルダーはドアの屋内側に外付けのボックスとし、カバーを備えて設けられていることを特徴とし、前記した制御部には有線室内電話機と接続された中継器からの電波開錠暗号信号赤外線、開錠暗号信号発信信号を受ける受光素子が電気的に接続されて備えられていることを特徴としている。
【発明の効果】
【０００８】
上記した構成としたことにより、電子錠本体はドアあるいはドアフレームの内部に収容されて、その外観が隠されることとなり、ドアもしくはドア付近のすっきりとしたシンプルなものとなる。即ち、一見して電子錠自体の確認をも不明とすることができる。
【０００９】
加えて、バッテリーは別途に容易な交換、充電作業を行なうことができるので、格別に専門的となる作業を要求されることもなくなることとなるのである。どうしても外部にバッテリーを置けない場合は、交換に手間は要するが、電子錠本体内部に収容することができるのは言うまでもないことである。
【発明を実施するための最良の形態】
【００１０】
図面により示す実施例の形態とすることによって実現した。
【実施例１】
【００１１】
次に、本発明の好ましい実施の例を図面を参照して説明する。図１は本発明に係る電子錠の取り付け構造を示す断面図、図２は同じくドアの部分斜視図、図３は別のバッテリーボックスの取り付け状態を示す斜視図、図４は同じく充電バッテリーを用いた場合を示す図、図５は同じくアンテナの配備を示す図、図６は同じく別のアンテナの配備を示す図、図７は同じく取り付けプレートを示す裏面図である。
【００１２】
これらの図にあって１は左右いずれか一側縁を枢支されたスイングタイプのドアを示し、２はこのドア１に対応するドアフレームを示している。ここでドア１は鋼板や硬性重量木材で成形され、二枚重ねの中空構造とされ、周縁を閉塞されたものとなっている。
【００１３】
本実施例にあってはドア１の四方周縁の一部に外部と連通する中空部３を形成し、その中空部３内に電子錠本体４を固着プレート５をねじ６、６により固定することで収納し、取り付けてある。
【００１４】
また、前記したドア１と対応するドアフレーム２には電子錠本体４から後述するメカニズムにより出入される閂部材（デッドボルト）７の受穴８が中空部として形成されている。また、この受穴８の周域にはその受穴８へ貫通する閂部材７の出入孔９ａを形成した受金具９がねじ１０、１０により固着されている。なお、図中１１は強力な磁力を有するマグネットであり、ドア１が閉じて、閂部材（デッドボルト）７を出してよい状況か否かをリードスイッチ２７で検出するものである。
【００１５】
前記した電子錠本体４には光線（赤外線）や電波等の無線開錠暗号信号を受け回路が閉じられる制御部１２が内蔵されている。この制御部１２からはケーブル１３が延設され、そのケーブル１３はドア１とドアフレーム２の隙間を通して先端を屋外に固定されるものとなっており、そのケーブル１３の先端には９Ｖ乾電池により電力を得るための端子１５ａ、１５ｂ及びリモートコントローラ等より発信される赤外線の受光素子１６が備えられている。なお、１７は中空部３内に収められる無線電波の受信用アンテナ線を示している。
【００１６】
また、制御部１２にはメカニズムの駆動モータ１８が連接されており、この駆動モータ１８のモータ軸にはウォームギア１９が取り付けられており、このウォームギア１９にはギア２０が噛合されている。このギア２０の軸にはピニオン２１が設けられており、このピニオン２１が閂部材（デッドボルト）７の側面に形成されたラック２２として、閂部材（デッドボルト）７を直線に往復動させるものとなっている。閂部材（デッドボルト）７には手動操作子７ａが固設されており、その操作子７ａはドア１の屋内側にあって外部へ突出され、ガイド溝２３に沿って操作することで手動で閂部材（デッドボルト）７を動かすことを可能としている。
【００１７】
さらに、制御部１２には有線室内電話機を介して作動される中継器からの電波又は発光を受ける受光素子２４、アンテナ線１７も接続されており、これによって、開錠用のリモートコントローラ等を不所持の時、携帯電話機等で室内電話機に電話をかけ、必要なコードナンバーを加えることで開錠することも可能としている。ドア１の屋内側にはこの受光素子２４と対応する透孔の存在や中継器とこの受光素子２４とを結ぶグラスファイバー等の設置をなされることとなる。２５は制御部１２と接続されたスピーカで開錠あるいは施錠状態の完了を操作者に音声をもって告知する。
【００１８】
また、図中２６は閂部材（デッドボルト）７の位置制御部であり、２７はドア１が閉じてる事をマグネット１１により検出するためのリードスイッチである。リードスイッチ２７がマグネット１１に接近（閉じる）するとスイッチが閉じ、ドア１が閉じた事を検出する。ドア１が開くとリードスイッチ２７が開き閂部材（デッドボルト）７は出ないようにする。なお、この実施例として示したメカニズムに代えて、閂部材（デッドボルト）７を作動させるために、ソレノイド機構等を用いることも可能である。２８は電子錠本体４に当初より設定されているバッテリーの収容スペースを示している。
【００１９】
本発明の実施については図２に示されるようにバッテリーホルダー２９はドア１の電子錠本体４の取り付け位置に沿って、その位置をずらせて別途に中空部３０を形成し、その中空部３０に出入自在に設置される。ここでバッテリーホルダー２９には、この実施例では二本の乾電池３１ａ、３１ｂがセットされることを想定している。バッテリーホルダー２９は取り付けプレート部２９ａを二本の防水加工等を施されたねじ３２、３２によってドア１に形成された中空部３０を閉塞するように止着される。バッテリー消耗等にはねじ３２、３２を外して乾電池３１ａ、３１ｂを交換することとなる。そして、取り付けプレート部２９ａはドアフレーム２側に当ってしまうことがないようにドア１の端面よりも陥凹状態としてセットされる。３３はバッテリーホルダー２９と電子錠本体４とを結ぶ電線を示しており、３２ａ、３２ａはねじ３２の受穴を示しており、３４はドア１の屋外側の取手を示している。
【００２０】
また、前記したバッテリーホルダー２９に代えて、ドア１の屋内側面に枢着カバー３６を有するバッテリーホルダー３５を取り付けることもできる。この場合、屋内側からワンタッチ操作で枢着カバー３６の開閉ができ、乾電池３１ａ、３１ｂの交換作業は簡易なものとなり、交換に要する時間も短縮することができる。バッテリーホルダー３５は内部詳細を省略して示している。
【００２１】
さらに、バッテリーとして前記した交換を要する乾電池３１ａ、３１ｂに代え、充電して繰り返し使用可能な充電式バッテリーを用いることもできる。この場合は、ドア１の屋内側面にＡＣアダプタＮ等の外部電源供給部３７を設け、そこから充電式バッテリーに対して充電作業を実行することとなる。
【００２２】
そして、前記した無線受信用のアンテナ線１７に関し、中空部３内に収容できない場合、あるいは受信に何らかの障害がある場合等には図５乃至図７に示す構造としてアンテナを配することができる。図５にあって３４ａは中空棒としたプラスチック製のグリップバー状の取手であり、アンテナ線１７ａをこの取手３４ａ内に挿通する。この取手３４ａの装着部は絶縁物のスペーサー４０、４０とされており、アンテナ線１７ａはこのスペーサー４０、４０を介して電子錠本体４の制御部１２と連接されることとなる。
【００２３】
また、図６に示すようなアンテナ線を挿通する中空を有さないデザインハンドル３４ｂ等の場合には、そのデザインハンドル３４ｂの取り付けプレート３８をプレート状とした絶縁物のアンテナアダプタ３９に重合してセットする。このアンテナアダプタ３９はプラスチック製の薄板により成形され、無線電波が侵入する隙間３９ａを有するとともにアンテナ線１７ｂを収納するための複数のスリット３９ｂ、３９ｂ‥が裏面側に形成された構成となっている。
【００２４】
さらに、格別に図示しないが、バッテリー消耗のほか、回路やメカニズムが故障してしまった場合、屋外からは一切開錠することができず締め出し状態となってしまうことが想定できる。係る事態に備え、本実施例であるならばドアフレーム２側の閂部材（デッドボルト）７の受穴８内に、その閂部材（デッドボルト）７と直交する方向にスライドする緊急開錠用のバー部材を設けておくことができる。このバー部材は閂部材（デッドボルト）７の頭部と摺接する面をテーパ状とし、徐々に閂部材（デッドボルト）７を電子錠本体４方向へ押し戻す構成のものが考えられ、このバー部材を作動させる駆動源やメカニズムはドアフレーム２側に別途に設けることとなる。
【産業上の利用可能性】
【００２５】
本発明は上記のように構成されるので、実施例に示すほかに、電子錠本体４の取り付け位置をドアフレーム２側とすることや、ドア１に対して左右上下いずれの位置においても実行できる。また、窓についてもその内部を利用して応用実施することも可能となる。
【図面の簡単な説明】
【００２６】
【図１】本発明に係る電子錠の取り付け構造を示す断面図である。
【図２】ドアの部分斜視図である。
【図３】別のバッテリーボックスの取り付け状態を示す斜視図である。
【図４】充電バッテリーを用いた場合を示す図である。
【図５】アンテナの配備を示す図である。
【図６】別のアンテナの配備を示す図である。
【図７】取り付けプレートを示す裏面図である。
【符号の説明】
【００２７】
１      ドア
２      ドアフレーム
３      中空部
４      電子錠本体
５      固着プレート
６      ねじ
７      閂部材（デッドボルト）
７ａ    手動の操作子
８      受穴
９      受金具
９ａ    出入孔
１０    ねじ
１１    マグネット
１２    制御部
１３    ケーブル
１４    ９Ｖ乾電池
１５ａ  端子
１５ｂ  端子
１６    受光素子
１７    アンテナ線
１７ａ  アンテナ線
１７ｂ  アンテナ線
１８    駆動モータ
１９    ウォームギア
２０    ギア
２１    ピニオン
２２    ラック
２３    ガイド溝
２４    受光素子
２５    スピーカ
２６    位置制御部
２７    リードスイッチ
２８    バッテリーの収容スペース
２９    バッテリーホルダー
２９ａ  取り付けプレート部
３０    中空部
３１ａ  乾電池
３１ｂ  乾電池
３２    ねじ
３３    電線
３４    取手
３４ａ  取手
３４ｂ  デザインハンドル
３５    バッテリーホルダー
３６    枢着カバー
３７    外部電源供給部
３８    取り付けプレート
３９    アンテナアダプタ
３９ａ  隙間
３９ｂ  スリット
４０    スペーサー
Ｎ      ＡＣアダプタ
【図１】
2006045982.tif 000003
【図２】
2006045982.tif 000004
【図３】
2006045982.tif 000005
【図４】
2006045982.tif 000006
【図５】
2006045982.tif 000007
【図６】
2006045982.tif 000008
【図７】
2006045982.tif 000009